(57)【特許請求の範囲】
【請求項１】
縦軸を株価、横軸を月日とし、日毎に変動する株価の変化を、売買高加重平均価格（ＶＷＡＰ）を含む株価チャートとして作成し、所定の表示画面上に表示する株価ＶＷＡＰチャートの作成・表示システムであって、
所定銘柄について、毎日の株価情報としての始値、終値、売買高加重平均価格（ＶＷＡＰ）をそれぞれ入力する株価情報入力手段と、
前記株価情報入力手段により入力された株価情報を、月日と関連付けて記憶する株価情報記憶手段と、
前記株価情報記憶手段に記憶された株価情報の中から売買高加重平均価格（ＶＷＡＰ）について該当日の前日以前の過去２〜５日分の平均値を演算し、得られた演算値を該当日の基礎台として設定する基礎台演算処理手段と、
前記基礎台演算処理手段により演算された該当日の基礎台としての演算値を横線とし、前記株価情報記憶手段に記憶された該当日の株価の始値を前記基礎台に対してこれを後方とする矢印とすると共に前記基礎台の演算値と始値との間を縦線で結び、前記株価情報記憶手段に記憶された該当日の終値が前記基礎台と始値を結ぶ縦線上となる場合にはこの縦線に交差する斜線とし、または前記終値が前記基礎台と始値を結ぶ縦線上とならない場合には前記縦線の延長線とし、さらに前記該当日の始値が基礎台と一致する場合には前記矢印を省略して基礎台のみを丸で囲むようにして、それぞれ表示手段の表示画面上に順次日毎に表示する株価ＶＷＡＰチャートの作成・表示演算制御手段と、
前記株価情報記憶手段に記憶された株価情報の中から売買高加重平均価格（ＶＷＡＰ）について該当日の前日以前の過去２０〜２５日分の売買高加重平均価格（ＶＷＡＰ）の平均値を演算し、前記基礎台演算処理手段により演算された基礎台の演算値と前記過去２０〜２５日分の売買高加重平均価格（ＶＷＡＰ）の平均値との差分の絶対値を演算する差分絶対値演算処理手段と、
前記差分絶対値演算処理手段により演算された差分の絶対値が、前記基礎台の演算値に対して設定した±１％の閾値の範囲内になると、株価チャートを色変化表示させる色変化表示処理手段と、
を備えることを特徴とする株価ＶＷＡＰチャートの作成・表示システム。
【請求項２】
縦軸を株価、横軸を月日とし、日毎に変動する株価の変化を、売買高加重平均価格（ＶＷＡＰ）を含む株価チャートとして作成し、所定の表示画面上に表示する株価ＶＷＡＰチャートの作成・表示システムであって、
所定銘柄について、毎日の株価情報としての始値、終値、売買高加重平均価格（ＶＷＡＰ）をそれぞれ入力する株価情報入力手段と、
前記株価情報入力手段により入力された株価情報を、月日と関連付けて記憶する株価情報記憶手段と、
前記株価情報記憶手段に記憶された株価情報の中から売買高加重平均価格（ＶＷＡＰ）について該当日の前日以前の過去２〜５日分の平均値を演算し、得られた演算値を該当日の基礎台として設定する基礎台演算処理手段と、
前記基礎台演算処理手段により演算された該当日の基礎台としての演算値を横線とし、前記株価情報記憶手段に記憶された該当日の株価の始値を前記基礎台に対してこれを後方とする矢印とすると共に前記基礎台の演算値と始値との間を縦線で結び、前記株価情報記憶手段に記憶された該当日の終値が前記基礎台と始値を結ぶ縦線上となる場合にはこの縦線に交差する斜線とし、または前記終値が前記基礎台と始値を結ぶ縦線上とならない場合には前記縦線の延長線とし、さらに前記該当日の始値が基礎台と一致する場合には前記矢印を省略して基礎台のみを丸で囲むようにして、それぞれ表示手段の表示画面上に順次日毎に表示する株価ＶＷＡＰチャートの作成・表示演算制御手段と、
前記株価情報記憶手段に記憶された株価情報の中から売買高加重平均価格（ＶＷＡＰ）について該当日の前日以前の過去２０〜２５日分の売買高加重平均価格（ＶＷＡＰ）の平均値を演算し、前記基礎台演算処理手段により演算された基礎台の演算値と前記過去２０〜２５日分の売買高加重平均価格（ＶＷＡＰ）の平均値との差分の絶対値を演算する差分絶対値演算処理手段と、
前記差分絶対値演算処理手段により演算された差分の絶対値が、±１％の閾値の範囲内になって、前記売買高加重平均価格（ＶＷＡＰ）の平均値が前日の売買高加重平均価格（ＶＷＡＰ）より下方向に変位する場合には、株価チャートを赤色表示し、または前記売買高加重平均価格（ＶＷＡＰ）の平均値が前日の前記売買高加重平均価格（ＶＷＡＰ）より上方向に変位する場合には、株価チャートを青色表示するように設定した色変化表示処理手段と、
を備えることを特徴とする株価ＶＷＡＰチャートの作成・表示システム。
【発明の詳細な説明】
【０００１】
【発明の属する技術分野】
本発明は、株価の動きや相場の変動を簡便に予測することができる株価チャートを作成し表示することができる、売買高加重平均価格（ＶＷＡＰ）を利用することを特徴とする株価ＶＷＡＰチャートの作成・表示システムに関するものである。
【０００２】
【従来の技術】
従来、株価の動きを表わす株価チャートとして、ローソク足・チャートが知られている。このローソク足・チャートは、株価の始値、高値、安値、終値の４本値を表示するものであり、図１２の（ａ）、（ｂ）に示すように、始値よりも終値が高い場合は白、つまり陽線と称している〔図１２の（ａ）参照〕。逆に、終値の方が始値よりも安い場合は黒塗り、すなわち陰線と称している〔図１２の（ｂ）参照〕。そして、高値は上に、安値は下にそれぞれ「ひげ」と称する棒で表わす。このように、前記のローソク足・チャートは、一日の４本値を毎日表わした「日足」が原則であるが、これらの「日足」を期間毎に設定して「週足」、「月足」、「年足」が表わされている。図１３は、前記従来の株価チャートによる銘柄の月間表示例を示す説明図である。
【０００３】
【発明が解決しようとする課題】
しかしながら、従来のローソク足・チャートは、相場の変動を素早くキャッチする手段および方法に欠けており、一般投資家やビギナーには、相場の流れを見極めるのには時間が掛り、また株価の動向をマスターするには、多くの経験と集中力を必要とする難点があった。
【０００４】
そこで、本発明者は、鋭意検討並びに試作を重ねた結果、１日や半日など一定時間内に取引所で付いた個別銘柄の株価の平均値を、約定値ごとの売買高で加重平均した価格すなわち売買高加重平均価格（ＶＷＡＰ：volume-weighted average price ）を使用して、毎日の株価情報を記憶保持すると共に、（１）前記売買高加重平均価格の例えば過去３日分の平均値を演算してこの演算値を基礎台とし、（２）この基礎台を１日繰り越して翌日の株価の基礎台（基準レベル）とし、（３）この基礎台（基準レベル）により当日の株価（始値、終値）を導入して株価チャートを作成し表示することにより、株価の動向を簡便に判定することができる株価ＶＷＡＰチャートの作成・表示システムの開発に成功した。
【０００５】
なお、前記売買高加重平均価格（ＶＷＡＰ）は、当日の一定時間内における取引所で付いた個別銘柄の株価の平均値を、約定値ごとの売買高で加重平均した価格であり、１日の高値・安値や単純平均よりも取引の実態に近く、東京証券取引所においては個別銘柄のＶＷＡＰを公表している。
【０００６】
さらに、過去２０日分の売買高加重平均価格（ＶＷＡＰ）の平均値を演算し、前記基礎台との差分の絶対値が、基礎台（基準レベル）に対して設定した閾値（±１％）の範囲内となった場合に、株価チャートをそれぞれ所定の色表示とすることにより、前記株価の動向の判定をより簡便にし得ることを突き止めた。すなわち、当日の基礎台と過去２０日分の売買高加重平均価格（ＶＷＡＰ）の平均値（ほぼ１カ月間のデータ）との変位が±１％の範囲内となって、前記過去２０日分の売買高加重平均価格（ＶＷＡＰ）の平均値が前日の売買高加重平均価格（ＶＷＡＰ）より下方向へ変位した場合には、株価チャートを赤色表示とし、また前記過去２０日分の売買高加重平均価格（ＶＷＡＰ）の平均値が前日の売買高加重平均価格（ＶＷＡＰ）より上方向へ変位した場合には、株価チャートを青色表示とするものである。
【０００７】
このように設定することにより、
（１）当日の株価の始値が下向きで終値が基礎台を突っ切って上昇すれば「上昇暗示形」となり、また、
（２）当日の株価の始値が上向きで終値が基礎台を突っ切って下降すれば「下降暗示形」となり、共に相場の上昇下降の転換点である可能性が一層強いと認識することができる。
さらに、基礎台の並列の場合も、底値、上昇途中、天井、下降途中に表示されると、それぞれの通過点での強弱一致や相場の転換点となることを予測することが可能となる。
【０００８】
従って、本発明の目的は、毎日の株価情報から、株価の動向を判断する上で最も適正な株価基準値を設定して株価チャートを作成し表示することにより、現在の株価の動向および株価コストを明確にすることができ、しかも任意の過去日に遡って過去の株価の動向についての株価チャートを演算により作成し表示して、現在の株価の動向と比較検証することにより、相場の転換点の予測判定をより簡便かつ適正に行うことができる株価ＶＷＡＰチャートの作成・表示システムを提供することにある。
【０００９】
【課題を解決するための手段】
前記目的を達成するため、本発明に係る株価ＶＷＡＰチャートの作成・表示システムは、縦軸を株価、横軸を月日とし、日毎に変動する株価の変化を、売買高加重平均価格（ＶＷＡＰ）を含む株価チャートとして作成し、所定の表示画面上に表示する株価ＶＷＡＰチャートの作成・表示システムであって、
所定銘柄について、毎日の株価情報としての始値、終値、売買高加重平均価格（ＶＷＡＰ）をそれぞれ入力する株価情報入力手段と、
前記株価情報入力手段により入力された株価情報を、月日と関連付けて記憶する株価情報記憶手段と、
前記株価情報記憶手段に記憶された株価情報の中から売買高加重平均価格（ＶＷＡＰ）について該当日の前日以前の過去２〜５日分の平均値を演算し、得られた演算値を該当日の基礎台として設定する基礎台演算処理手段と、
前記基礎台演算処理手段により演算された該当日の基礎台としての演算値を横線とし、前記株価情報記憶手段に記憶された該当日の株価の始値を前記基礎台に対してこれを後方とする矢印とすると共に前記基礎台の演算値と始値との間を縦線で結び、前記株価情報記憶手段に記憶された該当日の終値が前記基礎台と始値を結ぶ縦線上となる場合にはこの縦線に交差する斜線とし、または前記終値が前記基礎台と始値を結ぶ縦線上とならない場合には前記縦線の延長線とし、さらに前記該当日の始値が基礎台と一致する場合には前記矢印を省略して基礎台のみを丸で囲むようにして、それぞれ表示手段の表示画面上に順次日毎に表示する株価ＶＷＡＰチャートの作成・表示演算制御手段と、
前記株価情報記憶手段に記憶された株価情報の中から売買高加重平均価格（ＶＷＡＰ）について該当日の前日以前の過去２０〜２５日分の売買高加重平均価格（ＶＷＡＰ）の平均値を演算し、前記基礎台演算処理手段により演算された基礎台の演算値と前記過去２０〜２５日分の売買高加重平均価格（ＶＷＡＰ）の平均値との差分の絶対値を演算する差分絶対値演算処理手段と、
前記差分絶対値演算処理手段により演算された差分の絶対値が、前記基礎台の演算値に対して設定した±１％の閾値の範囲内になると、株価チャートを色変化表示させる色変化表示処理手段と、を備えることを特徴とする株価ＶＷＡＰチャートの作成・表示システム。
【００１０】
また、本発明に係る株価ＶＷＡＰチャートの作成・表示システムにおいては、前記色変化表示処理手段を、前記差分絶対値演算処理手段により演算された差分の絶対値が、±１％の閾値の範囲内になって、前記売買高加重平均価格（ＶＷＡＰ）の平均値が前日の売買高加重平均価格（ＶＷＡＰ）より下方向に変位する場合には、株価チャートを赤色表示し、または前記売買高加重平均価格（ＶＷＡＰ）の平均値が前日の前記売買高加重平均価格（ＶＷＡＰ）より上方向に変位する場合には、株価チャートを青色表示するように設定した構成とすることができる。
【００１６】
【発明の実施の形態】
次に、本発明に係る株価チャートの作成・表示システムの実施例につき、添付図面を参照しながら以下詳細に説明する。
【００１７】
図１は、本発明に係る株価チャートの作成・表示システムの概略ブロック系統図である。すなわち、図１において、参照符号１０は毎日の株価情報として少なくとも始値、終値、売買高加重平均価格（ＶＷＡＰ）等をそれぞれ入力する株価情報入力手段、１２は前記株価情報入力手段１０より株価情報を入力して株価チャートを作成して表示処理する演算制御手段、１４は前記演算制御手段を介して入力された株価情報を記憶する記憶手段、１６は前記演算制御手段１２により作成され表示処理された株価ＶＷＡＰチャートを表示する表示手段をそれぞれ示す。
【００１８】
しかるに、本実施例においては、前記株価情報入力手段１０より演算制御手段１２を介して記憶手段１４に記憶された株価情報を、演算制御手段１２により読み出して株価ＶＷＡＰチャートを作成し、表示手段１６により表示するように構成される。
【００１９】
そこで、前記演算制御手段１２は、図２に示すように、ＣＰＵ２０を介して株価情報入力手段１０により入力されて記憶手段１４に記憶された株価情報の中から、売買高加重平均価格（ＶＷＡＰ）について過去２〜５日分の平均値を、基礎台演算処理手段２２により演算して、この演算値を翌日の基礎台Ｂとして設定する。従って、当日の基礎台Ｂは、前日以前の過去２〜５日分の売買高加重平均価格（ＶＷＡＰ）についての平均値となる。
【００２０】
次いで、前記基礎台演算処理手段２２により演算された基礎台Ｂを、基礎台表示処理手段２４を介して、表示手段１６において横線〔図３の（ａ）〜（ｄ）および図４の（ａ）〜（ｄ）参照〕として表示するように設定する（図２参照）。
【００２１】
また、前記基礎台の横線に対し前記記憶手段１４に記憶された当日の株価の始値Ｓを、始値表示処理手段２６を介して、表示手段１６において基礎台Ｂを後方とする矢印〔図３の（ａ）〜（ｄ）および図４の（ａ），（ｂ）参照〕で表示すると共に、前記基礎台Ｂの横線に対し縦線〔図３の（ａ）〜（ｄ）および図４の（ａ）〜（ｃ）参照〕で結合表示するように設定する（図２参照）。
【００２２】
さらに、前記記憶手段１４に記憶された当日の株価の終値Ｅを、終値表示処理手段２８を介して、表示手段１６において前記基礎台Ｂと始値Ｓとを結合する縦線に対する延長線〔図３の（ａ）〜（ｄ）参照〕または縦線に交差する斜線〔図４の（ａ）、（ｂ）参照〕により結合表示するように設定する（図２参照）。
【００２３】
なお、前記基礎台の横線に対し前記記憶手段１４に記憶された当日の株価の始値Ｓが、基礎台Ｂと一致する場合は、始値表示処理手段２６を介して、表示手段１６において矢印を省略し、基礎台Ｂを丸で囲む〔図４の（ｃ）参照〕表示を行うように設定する（図２参照）。さらに、前記基礎台の横線に対し前記記憶手段１４に記憶された当日の株価の始値Ｓと終値Ｅとが、基礎台Ｂと全て一致する場合は、始値表示処理手段２６および終値表示処理手段２８を介して、表示手段１６において矢印を省略し、基礎台Ｂのみを丸で囲む〔図４の（ｄ）参照〕表示をするように設定する（図２参照）。
【００２４】
一方、前記演算制御手段１２において、前記と同様にして、記憶手段１４に記憶された過去２０〜２５日分の売買高加重平均価格（ＶＷＡＰ）の平均値ＶＷＡＰave を演算するＶＷＡＰ平均値演算処理手段３０と、前記基礎台演算処理手段２２により演算された基礎台Ｂと前記売買高加重平均価格（ＶＷＡＰ）の平均値ＶＷＡＰave との差分の絶対値（｜ＶＷＡＰave ―Ｂ｜）を演算する差分絶対値演算処理手段３２を設ける（図２参照）。
【００２５】
そして、前記差分絶対値演算処理手段３２により演算された差分の絶対値（｜ＶＷＡＰave −Ｂ｜）が、基礎台Ｂに対して設定した±１％の閾値の範囲内になると、株価ＶＷＡＰチャートを色変化表示させる色変化表示処理手段３４を設ける（図２参照）。
【００２６】
この場合、前記色変化表示処理手段３４としては、当日の基礎台Ｂと過去２０日分の売買高加重平均価格（ＶＷＡＰ）の平均値ＶＷＡＰave との差分の絶対値（｜ＶＷＡＰave −Ｂ｜）が、±１％の閾値の範囲内になって、前記売買高加重平均価格（ＶＷＡＰ）の平均値ＶＷＡＰave が前日の売買高加重平均価格ＶＷＡＰ-1より下方向（ＶＷＡＰ-1＞ＶＷＡＰave ）に変位（１点鎖線の伏線で表示）する場合には、株価ＶＷＡＰチャートを赤色表示する〔図５の（ａ）参照〕。また、当日の基礎台Ｂと過去２０日分の売買高加重平均価格（ＶＷＡＰ）の平均値ＶＷＡＰave とが±１％の閾値の範囲内になって、前記売買高加重平均価格（ＶＷＡＰ）の平均値ＶＷＡＰave が前日の売買高加重平均価格ＶＷＡＰ-1より上方向（ＶＷＡＰ-1＜ＶＷＡＰave ）に変位（１点鎖線の伏線で表示）する場合には、株価ＶＷＡＰチャートを青色表示する〔図５の（ｂ）参照〕ように、設定することができる。
【００２７】
次に、前記構成からなる本実施例の株価ＶＷＡＰチャートの作成・表示システムの制御動作例につき、図６に示す演算制御プログラムを参照しながら説明する。
【００２８】
まず、基礎台演算処理手段２２により、演算制御手段１２を介して株価情報入力手段１０より入力されて記憶手段１４に記憶された株価情報の中から、売買高加重平均価格（ＶＷＡＰ）について、過去３日分の平均値を演算してこの演算値を翌日の基礎台Ｂとして設定する（ＳＴＥＰ−１）。次いで、前記基礎台演算処理手段２２により演算された基礎台Ｂを、基礎台表示処理手段２４により横線として作成し表示手段１６に表示する（ＳＴＥＰ−２）。また、前記基礎台Ｂの横線に対し、前記記憶手段１４に記憶された当日の株価の始値Ｓを、始値表示処理手段２６により矢印で作成し表示すると共に前記基礎台の横線に対し縦線で作成し結合表示する（ＳＴＥＰ−３）〔図３の（ａ）〜（ｄ）および図４の（ａ）〜（ｃ）参照〕。さらに、前記記憶手段１４に記憶された当日の株価の終値Ｅを、終値表示処理手段２８により前記基礎台Ｂと始値Ｓとを結合する縦線に対する延長線または縦線に交差する斜線として作成し結合表示する（ＳＴＥＰ−４）〔図３の（ａ）〜（ｄ）および図４の（ａ）〜（ｃ）参照〕。
【００２９】
この場合、前記始値表示処理手段２６は、始値Ｓの矢印の方向を、基礎台Ｂの横線を基準として縦線で結合される始値Ｓの方向に合わせて設定することができる〔図３の（ａ）〜（ｄ）参照〕。また、前記始値表示処理手段２６は、始値Ｓが基礎台Ｂと一致する場合は、矢印を省略することができる〔図４の（ｃ）参照〕。さらに、前記始値表示処理手段２６および終値表示処理手段２８は、始値Ｓおよび終値Ｅが基礎台Ｂと一致する場合も、矢印を省略することができる〔図４の（ｄ）参照〕。
【００３０】
また、前記終値表示処理手段２８は、終値Ｅが基礎台Ｂと始値Ｓとを結合する縦線より変位する場合には、延長線により結合表示し〔図３の（ａ）〜（ｄ）参照〕、また終値Ｅが基礎台Ｂと始値Ｓとを結合する縦線の一部となる場合には、縦線に交差する斜線により結合表示するよう設定する〔図４の（ａ）、（ｂ）参照〕。
【００３１】
次いで、前記演算制御手段１２において、ＶＷＡＰ平均値演算処理手段３０により前記記憶手段１４に記憶された過去２０日分の売買高加重平均価格（ＶＷＡＰ）の平均値ＶＷＡＰave を演算すると共に、前記基礎台演算処理手段２２により演算された基礎台Ｂとの差分の絶対値（｜ＶＷＡＰave −Ｂ｜）を差分絶対値演算処理手段３２により演算する（ＳＴＥＰ−５）。
【００３２】
そして、前記差分絶対値演算処理手段３２により演算された差分の絶対値（｜ＶＷＡＰave −Ｂ｜）が、前記基礎台Ｂに対して設定した±１％の閾値の範囲内になると、色変化表示処理手段３４により、株価ＶＷＡＰチャートを色変化表示させる（ＳＴＥＰ−６）。なお、前記色変化表示処理手段３４による株価ＶＷＡＰチャートを色変化表示は、前述した図５の（ａ）、（ｂ）に示す通りである。
【００３３】
次に、前述した本発明の実施例に係る株価ＶＷＡＰチャートの作成・表示システムに基づいて作成した、表示手段１６における月間株価チャート（過去２０日分の株価ＶＷＡＰチャート）の種々の表示例について、図７ないし図１０を参照して説明する。
【００３４】
図７に示す株価ＶＷＡＰチャート（以下、単にチャートと称する）の表示例においては、過去２０日分の売買高加重平均価格（ＶＷＡＰ）の平均値ＶＷＡＰave の伏線が１点鎖線で示されている。従って、図７に示す表示例によれば、８月１日、３日のチャートが青色表示され（相場の転換期を表わす）、８月１４日のチャートが赤色表示される（相場の転換期を表わす）。また、図７に示すチャートの表示例においては、８月８日のチャート（イ）の後、８月９日、１０日に並列基礎台のチャートＡ、Ｂとなり、株価コストの強弱が一致し（相場の転換点を示す）、その後に株価の方向が下向きになると、株価の下降が続く確率が高くなることが示される。さらに、図７に示すチャートの表示例において、前記のようにチャートが色変化することにより、株価が色変化チャートより上方に位置すれば、勢い（モメンタム）がある相場となり、株価が色変化チャートより下方に位置すれば、弱い相場になる。すなわち、本発明において使用する売買高加重平均価格（ＶＷＡＰ）は、出来高が加味されていることから、相場の強弱にも対応できる内容のチャートを表示することができる。
【００３５】
図８に示す株価ＶＷＡＰチャートの表示例においては、過去２０日分の売買高加重平均価格（ＶＷＡＰ）の平均値ＶＷＡＰave の伏線の一部が１点鎖線で示されている。従って、図８に示すチャートの表示例によれば、１０月２３日のチャートが青色表示される（相場の転換期を表わす）。また、図８に示すチャートの表示例においては、１０月２９日のチャート（イ）の後、株価が上昇することなく１０月３０日に天井チャートＡとなり、１０月３１日、１１月１日に並列基礎台のチャートＢ、Ｃとなり、株価コストの強弱が一致し（相場の転換点を示す）、その後に株価の方向が下向きになって、株価の下降が続く傾向を示している。すなわち、図８に示すチャートの表示例は、典型的な売り相場を示している。
【００３６】
図９に示す株価ＶＷＡＰチャートの表示例においては、過去２０日分の売買高加重平均価格（ＶＷＡＰ）の平均値ＶＷＡＰave の伏線の一部が１点鎖線で示されている。従って、図９に示すチャートの表示例によれば、１１月２９日、３０日のチャートが赤色表示される（相場の転換期を表わす）。また、図９に示すチャートの表示例においては、１１月２１日のチャート（イ）の後、株価が上昇することなく１１月２２日に天井チャートＡとなり、１１月２６日、２７日に並列基礎台のチャートＢ、Ｃとなり、株価コストの強弱が一致し（相場の転換点を示す）、その後に株価の方向が下向きになって、株価の下降が続く傾向を示している。
【００３７】
図１０に示す株価ＶＷＡＰチャートの表示例においては、過去２０日分の売買高加重平均価格（ＶＷＡＰ）の平均値ＶＷＡＰave の伏線が１点鎖線で示されている。従って、図１０に示すチャートの表示例によれば、１０月１９日、２４日、２５日のチャートが青色表示され（相場の転換期を表わす）、１１月１日、２日のチャートが赤色表示される（相場の転換期を表わす）。また、図１０に示すチャートの表示例においては、１０月２４日以降の株価上昇途中あるいは１０月２６日の天井チャートＡで、株価方向が下向きになると株価が下降する確率が高くなる。さらに、図１０に示すチャートの表示例において、１１月１日にチャートが色変化することにより、相場の終了を表わし、株価の下降が続く傾向を示している。そして、１１月５日、６日に並列基礎台のチャートＢ、Ｃとなり、株価コストの強弱が一致（相場の転換点を示す）し、その後に株価の方向が下向きになって、株価の下降が続く傾向を示している。
【００３８】
図１１は、本発明の株価ＶＷＡＰチャートの作成・表示システムに基づいて、表示手段１６の表示画面に、図１０に示す株価ＶＷＡＰチャートを表示した場合の画面表示例を示すものである。この場合、表示手段１６の表示画面には株価ＶＷＡＰチャート表示部１６Ａとデータ表示部１６Ｂとが設定され、これら表示部１６Ａ、１６Ｂに設けられた各種の操作対象に対し、マウスやキーボード等の検索操作手段１８を使用して、記憶手段１４にデータベースとして記憶保存されている株価ＶＷＡＰチャートおよびそのデータについて、所望の銘柄に関する任意の過去分の株価ＶＷＡＰチャートおよびそのデータを検索して表示させることができる（図１、図２参照）。
【００３９】
例えば、図１１の表示画面において、データ表示部１６Ｂに設定した証券コード表示欄３６ａにマウスポインタを合わせてマウスをクリックし、所望の銘柄の証券コードをキーボードによりキー入力すると共に、チャート作成日表示欄３６ｂにマウスポインタを合わせてマウスをクリックし、任意の作成日をキーボードによりキー入力することにより、所望の銘柄に関する指定した任意の作成日より過去分の株価ＶＷＡＰチャートを、簡便に検索して表示させることができる。また、株価ＶＷＡＰチャート表示部１６Ａの月日表示欄３６ｃの所望の日にマウスポインタを合わせてマウスをクリックすることにより、指定した日の株価の始値、終値、出来高を、それぞれデータ表示部１６Ｂの始値表示欄３６ｄ、終値表示欄３６ｅ、出来高表示欄３６ｆに表示させることができる。さらに、指定した日の基礎台Ｂを、基礎台表示欄３６ｇに表示させることができる。なお、基礎台Ｂと過去２０日分の売買高加重平均価格（ＶＷＡＰ）の平均値ＶＷＡＰave とを比較する場合の閾値（実施例においては±１％に設定）についても、閾値表示欄３６ｈにマウスポインタを合わせてマウスをクリックし、所要の閾値をキーボードによりキー入力して適宜設定することができる。
【００４０】
以上、本発明の好適な実施例について説明したが、本発明は前記実施例に限定されることなく、基礎台Ｂの演算に際して売買高加重平均価格（ＶＷＡＰ）の平均値を求めるための日数や、過去の終値の平均値を求めるための日数について、適宜増減変更することができるばかりでなく、その他本発明の精神を逸脱しない範囲内において、多くの設計変更が可能である。
【００４１】
【発明の効果】
前述した実施例から明らかな通り、本発明に係る株価ＶＷＡＰチャートの作成・表示システムは、毎日の株価情報から、株価の動向を判断する上で最も適正な株価基準値を設定して株価ＶＷＡＰチャートを作成し表示することにより、現在の株価の動向および株価コストを明確にすることができ、しかも任意の過去日に遡って過去の株価の動向についての株価ＶＷＡＰチャートを演算により作成し表示して、現在の株価の動向と比較検証することにより、相場の転換点の予測判定をより簡便かつ適正に行うことができる。
【００４２】
従って、本発明に係る株価ＶＷＡＰチャートの作成・表示システムによれば、比較的簡単なシステム構成によって、相場の変動を素早くキャッチすることができる株価チャートを得ることができるばかりでなく、このような株価チャートによって、一般投資家やビギナーに対しても、相場の流れを簡便に見極めることが可能となると共に、株価の動向すなわち買いのポイントおよび売りのポイントを簡便にマスターすることが可能となる等、多くの優れた利点が得られる。
【図面の簡単な説明】
【図１】本発明の実施の形態に係る株価ＶＷＡＰチャートの作成・表示システムの概略ブロック系統図である。
【図２】本発明の実施の形態に係る株価ＶＷＡＰチャートの作成・表示システムの演算制御手段のシステム構成を示す説明図である。
【図３】（ａ）〜（ｄ）は、本発明の実施の形態に係る株価ＶＷＡＰチャートの作成・表示システムにおいて作成する株価ＶＷＡＰチャートの基本的な表示例をそれぞれ示す説明図である。
【図４】（ａ）〜（ｄ）は、本発明の実施の形態に係る株価ＶＷＡＰチャートの作成・表示システムにおいて作成する株価ＶＷＡＰチャートの特殊な場合の表示例をそれぞれ示す説明図である。
【図５】（ａ）および（ｂ）は、本発明の実施の形態に係る株価ＶＷＡＰチャートの作成・表示システムにおいて作成する株価チャートの色変化表示例を示す説明図である。
【図６】本発明の実施の形態に係る株価ＶＷＡＰチャートの作成・表示システムの演算制御プログラムの一例を示すフローチャート図である。
【図７】本発明の実施の形態に係る表示手段による銘柄の過去２０日分の株価ＶＷＡＰチャートの典型的な表示例を示す説明図である。
【図８】本発明の実施の形態に係る表示手段による銘柄の過去２０日分の株価ＶＷＡＰチャートの別の表示例を示す説明図である。
【図９】本発明の実施の形態に係る表示手段による銘柄の過去２０日分の株価ＶＷＡＰチャートのさらに別の表示例を示す説明図である。
【図１０】本発明の実施の形態に係る表示手段による銘柄の過去２０日分の株価ＶＷＡＰチャートの他の表示例を示す説明図である。
【図１１】本発明の実施の形態に係る銘柄の過去２０日分の株価ＶＷＡＰチャートの表示手段の表示画面における画面表示例を示す説明図である。
【図１２】（ａ）および（ｂ）は、従来の株価チャートの基本的な表示例を示す説明図である。
【図１３】従来の株価チャートによる銘柄の月間表示例を示す説明図である。
【符号の説明】
１０  株価情報入力手段
１２  演算制御手段
１４  記憶手段
１６  表示手段
１６Ａ  株価ＶＷＡＰチャート表示部
１６Ｂ  データ表示部
１８  検索操作手段
２０  ＣＰＵ
２２  基礎台演算処理手段
２４  基礎台表示処理手段
２６  始値表示処理手段
２８  終値表示処理手段
３０  ＶＷＡＰ平均値演算処理手段
３２  差分絶対値演算処理手段
３４  色変化表示処理手段
３６ａ  証券コード表示欄
３６ｂ  チャート作成日表示欄
３６ｃ  月日表示欄
３６ｄ  始値表示欄
３６ｅ  終値表示欄
３６ｆ  出来高表示欄
３６ｇ  基礎台表示欄
３６ｈ  閾値表示欄
Ｂ  基礎台
Ｓ  始値
Ｅ  終値
ＶＷＡＰave   過去２０日分のＶＷＡＰの平均値
ＶＷＡＰ-1  前日のＶＷＡＰ
【図１】
0004094866.tif 000002
【図２】
0004094866.tif 000003
【図３】
0004094866.tif 000004
【図４】
0004094866.tif 000005
【図５】
0004094866.tif 000006
【図６】
0004094866.tif 000007
【図７】
0004094866.tif 000008
【図８】
0004094866.tif 000009
【図９】
0004094866.tif 000010
【図１０】
0004094866.tif 000011
【図１１】
0004094866.tif 000012
【図１２】
0004094866.tif 000013
【図１３】
0004094866.tif 000014